(57)【特許請求の範囲】
【請求項１】
プラズマディスプレーパネルの画素単位となる各放電セル内を通るアドレス電極と、前記アドレス電極と交差される方向に各放電セルごとにこの放電セルの周辺部にそれぞれ配置されて第２維持パルスが供給される一対の第２維持電極と、前記アドレス電極と交差される方向に前記放電セルの中心部を通るように第２維持電極と平行にそれぞれ配置され、第２維持パルスと交互に第１維持パルスが供給される１対の第１維持電極とを具備することを特徴とするプラズマディスプレーパネル。
【請求項２】
前記第１維持電極は前記一対の第２維持電極の間にあることを特徴とする請求項１記載のプラズマディスプレーパネル。
【請求項３】
前記第１維持電極の中心部に前記第１維持電極と接触して形成されるバス電極を具備することを特徴とする請求項１記載のプラズマディスプレーパネル。
【請求項４】
前記アドレス電極と並んで形成される第１隔壁とを具備することを特徴とする請求項１記載のプラズマディスプレーパネル。
【請求項５】
前記第１隔壁と交差される方向に形成される第２隔壁を具備することを特徴とする請求項４記載のプラズマディスプレーパネル。
【請求項６】
前記第２隔壁は前記放電セルの境界部に形成されることを特徴とする請求項５記載のプラズマディスプレーパネル。
【請求項７】
前記第１維持電極に接続されてスキャンパルス及び第１維持パルスを供給する走査／維持駆動部と、前記第２維持電極に接続されて第２維持パルスを供給する共通維持駆動部とを具備することを特徴とする請求項１記載のプラズマディスプレーパネル。
【請求項８】
前記第１維持電極に接続されてスキャンパルス及び第１維持パルスを供給する走査／維持駆動部と、前記第２維持電極に接続されてリセットパルス及び第２維持パルスを供給する共通維持駆動部とを具備することを特徴とする請求項１記載のプラズマディスプレーパネル。
【請求項９】
前記第１及び第２維持電極を覆うように形成される誘電体層と、前記誘電体層の表面に前記第１及び第２維持電極と並んで形成される少なくとも１つ以上のフローティング電極とを具備することを特徴とする請求項１記載のプラズマディスプレーパネル。
【請求項１０】
前記フローティング電極は前記第２維持電極の下側に配置されることを特徴とする請求項１記載のプラズマディスプレーパネル。
【請求項１１】
プラズマディスプレーパネルの画素単位となる各放電セル内を通るアドレス電極と、前記アドレス電極と交差される方向に各放電セルごとにこの放電セルの周辺部にそれぞれ形成される一対の第２維持電極と、前記一対の第２維持電極の間に前記第２維持電極と並んでそれぞれ形成される１対の第１維持電極とを備えるプラズマディスプレーパネルの駆動方法であって、前記放電セルを初期化するために前記第１維持電極及び第２維持電極の中の少なくとも１つ以上の電極にリセットパルスを供給するステップと、発光される放電セルを選択するために前記第１維持電極にスキャンパルスを供給するステップと、前記スキャンパルスに同期されて前記アドレス電極にデータパルスを供給するステップと、前記発光される放電セルを放電維持させるために前記第１及び第２維持電極に維持パルスを交互に印加するステップとを含むことを特徴とするプラズマディスプレーパネルの駆動方法。
【請求項１２】
プラズマディスプレーパネルの画素単位となる各放電セル内を通るアドレス電極と、前記アドレス電極と交差される方向に各放電セルごとにこの放電セルの周辺部にそれぞれ形成される一対の第２維持電極と、前記一対の第２維持電極の間に前記第２維持電極と並んでそれぞれ形成される１対の第１維持電極とを具備するプラズマディスプレーパネルの駆動方法であって、前記放電セルを初期化するために前記第１維持電極にリセットパルスを供給するステップと、発光される放電セルを選択するために前記第２維持電極にスキャンパルスを供給するステップと、前記スキャンパルスに同期されて前記アドレス電極にデータパルスを供給するステップと、前記発光される放電セルを放電させるために前記第１及び第２維持電極に維持パルスを交互に印加するステップとを含むことを特徴とするプラズマディスプレーパネルの駆動方法。
【発明の詳細な説明】
【０００１】
【発明の属する技術分野】
本発明はプラズマディスプレーパネル及びその駆動方法に関し、特に放電効率を向上させることができるとともに、クローストークを防止することができるようにしたプラズマディスプレーパネル及びその駆動方法に関する。
【０００２】
【従来の技術】
プラズマディスプレーパネル（「ＰＤＰ」という）はガスの放電によって発生する紫外線が蛍光体を励起し、その励起された蛍光体から可視光線が発生するのを利用した表示装置である。ＰＤＰはこれまで表示手段として多く用いられてきた陰極線管（ＣＲＴ）に比べて厚さが薄く、軽くて高鮮明の大型画面を実現できるという点などの長所がある。ＰＤＰはマトリックス形態で配列された多数の放電セルで構成されている。１つの放電セルは画面の一画素を構成している。
【０００３】
図１は従来の３電極の交流面放電ＰＤＰの放電セルの構造を図示した写視図である。
図１を参照すると、従来の３電極の交流面放電型のＰＤＰの放電セルは、電極としては、上部パネル（１０）に形成された走査／維持電極（１２Ｙ）及び共通維持電極（１２Ｚ）と、下部パネル（１８）に形成されたアドレス電極（２０Ｘ）とを備えている。
【０００４】
走査／維持電極（１２Ｙ）及び共通維持電極（１２Ｚ）はインディウームスズ酸化物（ＩＴＯ）で形成する。このようなＩＴＯは高い抵抗値を有するためにＩＴＯ電極の上により細い不透明で導電性の高いバス電極（１３ＹＢ、１３ＺＢ）を通して信号を供給して、それぞれの放電セルに均一な電圧を加えるようにしている。
【０００５】
走査／維持電極（１２Ｙ）と共通維持電極（１２Ｚ）が平行に並んで形成された上部パネル（１０）の表面には上部誘電体層（１４）と保護膜（１６）が積層される。上部誘電体層（１４）にはプラズマ放電時に発生した壁電荷が蓄積される。保護膜（１６）はプラズマ放電時に発生するスパッタリングによる上部誘電体層（１４）の損傷を防止するとともに二次電子の放出の効率を高めるためのものである。保護膜（１６）としてはは通常酸化マグネシウム（ＭｇＯ）が利用される。
【０００６】
アドレス電極（２０Ｘ）が形成された下部パネル（１８）の表面には下部誘電体層（２２）、隔壁（２４）が形成されて、下部誘電体層（２２）と隔壁（２４）表面に蛍光体層（２６）が塗布される。アドレス電極（２０Ｘ）は走査／維持電極（１２Ｙ）及び共通維持電極（１２Ｚ）と交差される方向に形成される。
【０００７】
隔壁（２４）はアドレス電極（２０Ｘ）に並列に形成されている。隔壁（２４）と隔壁（２４）との中間にアドレス電極（２０Ｘ）が配置されるようにする。この隔壁（２４）は放電によって生成された紫外線と可視光が隣接した放電セルにリークすることを防止する。蛍光体層（２６）はプラズマ放電時に発生した紫外線によって励起されて赤色、緑色または青色の中のいずれか１つの可視光線を発生する。上部パネル（１０）／下部パネル（１８）と隔壁の間に設けられた放電空間にはガス放電のための不活性ガスが注入される。
【０００８】
図１に図示されたＰＤＰの全体的な電極ライン及び放電セルの配置構造は図２に図示された通りである。
【０００９】
図２を参照すると、走査／維持電極（Ｙ）及び共通維持電極（Ｚ）とアドレス電極ライン（Ｘ）が交差される部分に放電セル（２８）が形成されていることが分かる。走査／維持電極（Ｙ）及び共通維持電極（Ｚ）の縁に沿ってすべての放電セル（２８）に均一の電圧を印加することができるようにバス電極（ＹＢ、ＺＢ）が形成される。隔壁（２４）はアドレス電極ライン（Ｘ）と並んでいる。
【００１０】
このような面放電型ＰＤＰは画像のグレーレベルを表現するために１つのフレームを多数のサブフィールドで分けて駆動している。各サブフィールドはさらに放電を均一に生じさせるためのリセット期間、放電セルを選択するためのアドレス期間及び放電回数によってグレーレベルを表現する維持期間に分けられる。
【００１１】
例えば、２５６グレーレベルで画像を表示しようとする場合に１／６０秒に当たるフレーム期間（１６．６７ｍｓ）が８つのサブフィールドに分けられる。共に、８つのサブフィールドそれぞれはリセット期間とアドレス期間と維持期間にさらに分けられているのは前述の通りである。各サブフィールドのリセット期間とアドレス期間は各サブフィールド毎に同じである一方、維持期間は各サブフィールドが２０〜２７の範囲、すなわち２ｎ  （ｎ＝０，１，２，３，４，５，６，７）の範囲で変化する。このように各サブフィールドで維持期間が異なるのでそれぞれ発光量が異なり、画像のグレーレベルを表現することができる。
【００１２】
グレーレベルを表現するためにＰＤＰの各電極ラインには各サブフィールド別に図３のような駆動波形が供給される。
図３を参照すると、１つのサブフィールドは全画面を初期化するリセット期間、全画面を順次方式でスキャンしながらデータを記入するアドレス期間、データが記入されたセルの発光状態を維持させる維持期間に分けて駆動される。
【００１３】
リセット期間には共通維持電極ライン（Ｚ）にリセットパルス（ＶＲ）を印加して共通維持電極ライン（Ｚ）と走査／維持電極ライン（Ｙ）間にリセット放電を起こさせる。共通維持電極ライン（Ｚ）と走査／維持電極ライン（Ｙ）間にリセット放電が起きると各放電セルにプライミング荷電粒子及び壁電荷が形成される。
【００１４】
アドレス期間には走査／維持電極ライン（Ｙ）にスキャンパルス（−Ｖｓ）が順々に印加されて、スキャンパルス（−Ｖｓ）に同期されてデータパルス（Ｖｄ）がアドレス電極ライン（Ｘ）に供給される。この時、共通維持電極ライン（Ｚ）には所定レベルの直流電圧が印加される。
【００１５】
維持期間には走査／維持電極ライン（Ｙ）と共通維持電極ライン（Ｚ）にパルス幅と電圧が同一である維持パルス（Ｖｓｕｓ）が交互に印加されて、アドレス放電によって選択された放電セルを維持放電させる。
【００１６】
上述したところのように従来のＰＤＰは、維持期間に互いに隣接されるように形成されている走査／維持電極ライン及び共通維持電極ラインに交互に維持パルスが印加される。従って、隔壁を間に置いて隣接されるように位置される放電セルにそれぞれ含まれる走査／維持電極ライン及び共通維持電極ライン間に誤放電が起きるおそれがある。
【００１７】
また、走査／維持電極ライン及び共通維持電極ラインが放電セルの中心部に形成されているために維持放電が上部パネルの中央に集中されて放電空間の活用度が落ちる。即ち、維持放電の放電面積が小さくなって発光効率が低下する問題点がある。
【００１８】
隔壁はアドレス電極ラインと並んで形成されている。従って、任意の放電セルで起きる放電によって発生した光が任意の放電セルの上／下（図２の図面上の方向で）に形成されている放電セルに影響を与えることがある。即ち、任意の放電セルの上／下に形成されている放電セル間にクローストークが発生する。
【００１９】
ところで、従来には放電効率を向上させるために図４に図示されたように５電極の交流面放電型のＰＤＰが提案された。
図４を参照すると、従来の５電極交流の面放電型のＰＤＰは、放電セルの中央部に位置されるように上部パネル（３０）の表面に形成された第１及び第２トリガ電極（３４Ｙ、３４Ｚ）と、放電セルの縁側に位置されるように上部パネル（３０）にトリガ電極に並列に、かつトリガ電極から離れて形成された第１維持電極（３２Ｙ）及び第２維持電極（３２Ｚ）と、トリガ電極（３４Ｙ、３４Ｚ）、第１維持電極（３２Ｙ）及び第２維持電極（３２Ｚ）と交差される方向に下部パネル（４０）に形成されたアドレス電極（４２Ｘ）とを具備する。
【００２０】
第１維持電極（３２Ｙ）、第１トリガ電極（３４Ｙ）、第２トリガ電極（３４Ｚ）及び第２維持電極（３２Ｚ）が並んで形成された上部パネル（３０）には上部誘電体層（３６）と保護膜（３８）が積層される。
【００２１】
アドレス電極（４２Ｘ）が形成された下部パネル（４０）には下部誘電体層（４４）及び隔壁（４６）が形成されて、下部誘電体層（４４）と隔壁（４６）の表面には蛍光体層（４８）が塗布される。
【００２２】
放電セルの中央部に狭い間隔（Ｎｉ）で形成されたトリガ電極（３４Ｙ、３４Ｚ）が維持期間に交流パルスの供給を受けて維持放電を開示する。放電セルの縁側に広い間隔（Ｗｉ）を保って形成された第１維持電極（３２Ｙ）及び第２維持電極（３２Ｚ）はトリガ電極（３４Ｙ、３４Ｚ）によって放電が開示された後、プラズマ放電を維持させるために使用される。
【００２３】
このような５電極交流の面放電型のＰＤＰの動作過程を図５を参照して詳細に説明する。図５は１つの放電セル内ですべての電極構造を見せるために下部パネルに対して上部パネルを９０°回転させて図示している。
【００２４】
リセット期間には放電セルの第２トリガ電極（３４Ｚ）にリセットパルスが供給されて放電セルの初期化のためのリセット放電が起きる。
【００２５】
アドレス期間には第１トリガ電極（３４Ｙ）に走査パルスを順次的に供給するとともに走査パルスに同期されるデータパルスをアドレス電極（４２Ｘ）に供給する。この時、データが供給された放電セルではアドレス放電が起きる。
【００２６】
維持期間には第１及び第２トリガ電極（３４Ｙ、３４Ｚ）に交互に第１交流パルスが印加される。また、第１維持電極（３２Ｙ）と第２維持電極（３２Ｚ）には第１交流パルスより高い電圧レベルを有する第２交流パルスが交互に印加される。
【００２７】
第１交流パルスが印加されると第１及び第２トリガ電極（３４Ｙ、３４Ｚ）の間で放電が開示する。この時、第１維持電極（３２Ｙ）と第２維持電極（３２Ｚ）は第１及び第２トリガ電極（３４Ｙ、３４Ｚ）の間の放電によって発生した荷電粒子のプライミング効果によって維持放電を起こす。
【００２８】
このような従来の５電極ＰＤＰではトリガ電極（３４Ｙ、３４Ｚ）を利用して維持放電を開示することで維持放電の放電経路を長くすることができる。
【００２９】
このような従来の５電極ＰＤＰは、上記のように、維持期間に互いに隣接させて形成されている第１維持電極及び第２維持電極に交互に維持パルスが印加される。従って、隔壁を間に置いて隣接されるように形成されている第１維持電極及び第２維持電極の間に誤放電が発生するおそれがある。
【００３０】
隔壁がアドレス電極と並んで形成されているために特定の放電セルで発生した光が特定の放電セルの隔壁方向に隣接して形成されている放電セルに供給される。即ち、隔壁と並んでいる方向に位置している放電セル間にクローストーク現象が発生する。
【００３１】
【発明が解決しようとする課題】
従って、本発明の目的は放電効率を向上させることができるプラズマディスプレーパネル及びその駆動方法を提供することにある。
本発明の他の目的は隣接するように形成されている放電セル間のクローストークを防止することができるようにしたプラズマディスプレーパネル及びその駆動方法を提供することである。
【００３２】
【課題を解決するための手段】
前記目的を達成するために、本発明によるプラズマディスプレーパネルはプラズマディスプレーパネルの画素単位となっている各放電セル内を通るアドレス電極と、アドレス電極と交差される方向に放電セルの両側の周辺部に配置されて第２維持パルスを供給する第２維持電極と、アドレス電極と交差される方向に放電セルの中心部に位置されて第２維持パルスと交互に第１維持パルスを供給する少なくとも１つ以上の第１維持電極とを具備する。
【００３３】
第１維持電極にはバス電極を設けることが望ましく、そのバス電極は第１維持電極の中心部に設けるか、あるいは第１維持電極の両側の縁部に沿って形成させる。
【００３４】
１実施態様では、第１維持電極に接続されてスキャンパルス及び第１維持パルスを供給する走査／維持駆動部と、第２維持電極に接続されて第２維持パルスを供給する共通維持駆動部とを設ける。
【００３５】
他の実施態様では、第１維持電極に接続されてスキャンパルス及び第１維持パルスを供給する走査／維持駆動部と、第２維持電極に接続されてリセットパルスと第２維持パルスを供給する共通維持駆動部とを具備する。
【００３６】
さらに他の実施態様では、第１及び第２維持電極を覆うように形成される誘電体層と、その誘電体層の表面に前記第１及び第２維持電極と並んで少なくとも１つ以上のフローティング電極を形成させる。
【００３７】
本発明によるプラズマディスプレーパネルの他の実施態様は、上部パネルの放電セルの両縁側に形成される維持電極対と、維持電極対の間に維持電極対と並んで形成される第１及び第２トリガ電極と、維持電極対、第１及び第２トリガ電極を覆うように上部パネルの全面に塗布される誘電体層と、誘電体層の表面に維持電極と並列に形成される少なくとも１つ以上のフローティング電極とを具備する。
【００３８】
本発明によるプラズマディスプレーパネルの駆動方法は、放電セルの両側周辺部に形成される第２維持電極と、第２維持電極と交差される方向に形成されるアドレス電極と、第２維持電極の間に第２維持電極と並んで形成される少なくとも１つ以上の第１維持電極とを備えている放電セルを初期化するために第１維持電極及び第２維持電極の中の少なくとも１つ以上の電極にリセットパルスを供給するステップと、発光させる放電セルを選択するために第１維持電極にスキャンパルスを供給するステップと、スキャンパルスに同期させてアドレス電極にデータパルスを供給するステップと、発光される放電セルを放電させるために第１及び第２維持電極に維持パルスを交互に印加するステップとを含む。
【００３９】
本発明によるプラズマディスプレーパネルの他の駆動方法は、放電セルの両側周辺部に形成される第２維持電極と、第２維持電極と交差される方向に形成されるアドレス電極と、第２維持電極の間に第２維持電極と並んで形成される少なくとも１つ以上の第１維持電極とを備えたセルを放電させるものであって、放電セルを初期化するために第１維持電極にリセットパルスを供給するステップと、発光される放電セルを選択するために第２維持電極にスキャンパルスを供給するステップと、スキャンパルスに同期してアドレス電極にデータパルスを供給するステップと、発光される放電セルを放電させるために第１及び第２維持電極に維持パルスを交互に印加するステップとを含む。
【００４０】
【作用】
本発明によるプラズマディスプレーパネル及びその駆動方法によると、放電セルの中央部に形成されている少なくとも１つ以上の第１電極と、放電セルの周辺部に形成されている１つの第２電極との間に維持放電が起きるので、放電空間を効率的に活用することができる。即ち、第１電極と第２電極間に放電経路が長い維持放電を起こせる。
【００４１】
更に、第１電極を間に置いて放電セルの周辺部に１つの第２電極が形成されているため、隣接される放電セルの境界部に形成された電極が同一のパルスが供給されるために放電セル間のクローストークを防止することができる。同時に、第１及び第２電極と並んで隔壁が設置されているので、隣接して位置した放電セル間のクローストークを防止することができる。
【００４２】
また、放電セルの周辺部に形成されている第２電極の下側にフローティング電極を形成することで隣接した放電セル間のクローストークを防止することができる。
【００４３】
【発明の実施の形態】
以下、図６〜図１８を参照して本発明の好ましい実施形態に対して説明する。
【００４４】
図６は本発明の第１実施形態によるＰＤＰの電極構造を表す平面図である。
図６を参照すると、本発明の第１実施形態によるＰＤＰの電極は、アドレス電極ライン（Ｘ、図ではＸ１〜Ｘ５だけを示している）と、アドレス電極ライン（Ｘ）と交差される方向に形成される第１及び第２共通維持電極ライン（Ｚ、Ｚ’それぞれ１ないし３だけ示してある）と、第１及び第２共通維持電極ライン（Ｚ、Ｚ’）の間に形成される走査／維持電極ライン（Ｙ、図ではＹ１〜Ｙ３）で構成されている。
【００４５】
平行に走っている走査／維持電極ライン（Ｙ）、第１共通維持電極ライン（Ｚ）、第２共通維持電極ライン（Ｚ’）とこれらと直交するアドレス電極ライン（Ｘ）と交差部には放電セル（３０）が形成されている。したがって、放電セルの両端部に第１，第２共通維持電極が配置され、それらの間に走査／維持電極が配置されている構成である。
【００４６】
走査／維持電極ライン（Ｙ）、第１及び第２共通維持電極ライン（Ｚ、Ｚ’）はＩＴＯで形成された透明電極である。このようなＩＴＯは高い抵抗値を有するためにすべての放電セルに均一である電圧を印加することができるようにこれらの表面にバス電極（ＹＢ、ＺＢ、ＺＢ’）がそれぞれ形成されている。
【００４７】
走査／維持電極ライン（Ｙ）の幅は第１及び第２共通維持電極ライン（Ｚ、Ｚ’）の幅より広く設定される。
【００４８】
隔壁（５２）は従来同様アドレス電極（Ｘ）と並んだ方向に形成される。走査／維持電極ライン（Ｙ）は放電セル（５０）の中央部に位置される。
【００４９】
図７は図６に図示されたＰＤＰの駆動装置を表す図面である。
図７を参照すると、本発明の第１実施形態によるＰＤＰの駆動装置は走査／維持電極ライン（Ｙ）を駆動するための走査／維持駆動部（５４）と、第１及び第２共通維持電極ライン（Ｚ、Ｚ’）を駆動するための共通維持駆動部（５６）が設けられている。
【００５０】
走査／維持駆動部（５４）は走査／維持電極ライン（Ｙ）にスキャンパルスと維持パルスを供給する。共通維持駆動部（５６）は第１及び第２共通維持電極ライン（Ｚ、Ｚ’）に維持パルスを供給する。アドレス電極ライン（Ｘ）はアドレス駆動部（図示されていない）からスキャンパルスに同期されるように映像データを受ける。
【００５１】
ＰＤＰの各電極ラインには各サブフィールドごとに図８のような駆動波形が供給される。
図８を参照すると、１つのサブフィールドは全画面を初期化するリセット期間、全画面を電極ごとに順にスキャンしながらデータを記入するアドレス期間、データが記入されたセルの発光状態を維持させる維持期間に分けて駆動される。
【００５２】
リセット期間では、第１及び第２共通維持電極ライン（Ｚ、Ｚ’）にリセットパルス（ＶＲ  ）を印加して第１及び第２共通維持電極ライン（Ｚ、Ｚ’）と走査／維持電極ライン（Ｙ）間にリセット放電を起こせる。第１及び第２共通維持電極ライン（Ｚ、Ｚ’）と走査／維持電極ライン（Ｙ）間にリセット放電が起きるとすべての放電セル（５０）に均一な荷電粒子及び壁電荷が形成される。
【００５３】
アドレス期間には走査／維持電極ライン（Ｙ）にスキャンパルス（−Ｖｓ）が順に印加されて、スキャンパルス（−Ｖｓ）に同期されるようにデータパルス（Ｖｄ）がアドレス電極ライン（Ｘ）に供給される。
【００５４】
維持期間には走査／維持電極ライン（Ｙ）と第１及び第２共通維持電極ライン（Ｚ、Ｚ’）に同一のパルス幅と電圧を有する維持パルス（Ｖｓｕｓ  ）が交互に印加されてアドレス放電によって選択された放電セルを維持放電させる。
【００５５】
維持放電は図９に図示されたように、放電セル（５０）の中央部に形成された走査／維持電極ライン（Ｙ）と放電セル（５０）の周辺部に形成された２つの共通維持電極ライン（Ｚ、Ｚ’）との間で起きる。言い換えると、第１、第２共通維持電極ライン（Ｚ、Ｚ’）と走査／維持電極ライン（Ｙ）間に放電経路が生じる。それぞれは短いが双方あわせると放電経路が長くなる。このように、放電経路が長い維持放電が起きると紫外線の発生量が増加されるとともに発光面積が広くなって発光効率が向上する。図における数字の参照符号は、図１に図示されたものと同一の符号を使用した。
【００５６】
本発明の第１実施形態では隣接される放電セル（５０）の間での誤放電、即ちクローストークを防止することができる。詳細に説明すると、維持期間には第１と第２共通維持電極ライン（Ｚ、Ｚ’）に同じパルスが供給される。即ち、隣接して形成された放電セル（５０）それぞれの隣接箇所付近、すなわち周辺部に形成されている第１と第２共通維持電極ライン（Ｚ、Ｚ’）に同じパルスが供給されているために放電セル（５０）間のクローストークを防止することができる。
【００５７】
一方、本発明の第１実施形態では図１０のように第１及び第２共通維持電極ライン（Ｚ、Ｚ’）と並列に第２隔壁（５８）を追加的に備えることができる。このような第２隔壁（５８）は放電セル（５０）の上／下（図面上）に形成されることになり、放電によって発生した光が特定の放電セルの上／下に隣接して形成されている放電セルに供給されるのを防止する。
【００５８】
図１１は本発明の第２実施形態によるＰＤＰの電極構造を表す平面図である。図１１を参照すると、本発明の第２実施形態のＰＤＰの電極は、アドレス電極ライン（Ｘ）と、アドレス電極ライン（Ｘ）と交差される方向に形成される第１及び第２共通維持電極ライン（Ｚ、Ｚ’）と、第１及び第２共通維持電極ライン（Ｚ、Ｚ’）の間に形成される走査／維持電極ライン（Ｙ）とからなっている。電極ラインの配置そのものは先の実施形態と同じである。
【００５９】
アドレス電極ライン（Ｘ）とその他の電極ライン、すなわち走査／維持電極ライン（Ｙ）、第１及び第２共通維持電極ライン（Ｚ、Ｚ’）とが交差する箇所に放電セル（５０）が位置している。
【００６０】
走査／維持電極ライン（Ｙ）、第１及び第２共通維持電極ライン（Ｚ、Ｚ’）はＩＴＯで形成された透明電極である。このようなＩＴＯは高い抵抗値を有するので、抵抗を低下させるために走査／維持電極ライン（Ｙ）、第１及び第２共通維持電極ライン（Ｚ、Ｚ’）の表面にバス電極（ＹＢ、ＺＢ、ＺＢ’）が形成される。
【００６１】
本発明の第１実施形態では走査／維持電極ライン（Ｙ）に１本のバス電極（ＹＢ）が形成されたが、第２実施形態では走査／維持電極ライン（Ｙ）に１本のバス電極（ＹＢ、ＹＢ’）が形成される。
【００６２】
本発明の第１実施形態では広い幅で形成される走査／維持電極ライン（Ｙ）に１本のバス電極（ＹＢ）が形成される。このように広い幅で形成される走査／維持電極ライン（Ｙ）に１本のバス電極（ＹＢ）が形成されると走査／維持電極ライン（Ｙ）の抵抗値によって電圧降下が発生するおそれがある。
【００６３】
従って、本発明の第２実施形態では走査／維持電極ライン（Ｙ）の両側に沿ってそれぞれ１本のバス電極（ＹＢ、ＹＢ’）を形成させてある。このように２本のバス電極を設けることで、走査／維持電極ライン（Ｙ）の抵抗成分によって発生するであろう電圧降下を防止するとともに、放電電圧を低くして放電セルに壁電荷を容易に形成させることができるようになる。このような本発明の第２実施形態においても、第１実施形態のように走査／維持電極ライン（Ｙ）、第１及び第２共通維持電極ライン（Ｚ、Ｚ’）と並んで形成される第２隔壁（３８）と追加で具備することができる。その以外、本発明の第２実施形態での駆動波形及び動作過程は本発明の第１実施形態と同一であるので省略する。
【００６４】
図１２は本発明の第３実施形態によるＰＤＰの電極構造を表す平面図である。図１２を参照すると、本発明の第３実施形態のＰＤＰの電極は、アドレス電極ライン（Ｘ）と、これと交差する方向に形成される第１及び第２共通維持電極ライン（Ｚ、Ｚ’）と、第１及び第２共通維持電極ライン（Ｚ、Ｚ’）の間に形成される第１及び第２走査／維持電極ライン（Ｙ、Ｙ’）とで構成される。
【００６５】
アドレス電極ライン（Ｘ）とその他の電極ラインとが交差する部分に放電セル（３０）が位置される。
【００６６】
第１及び第２走査／維持電極ライン（Ｙ、Ｙ’）、第１及び第２共通維持電極ライン（Ｚ、Ｚ’）はＩＴＯで形成された透明電極である。このようなＩＴＯは高い抵抗値を有するためにすべての放電セルに均一である電圧を印加することができない場合があるので、第１及び第２走査／維持電極ライン（Ｙ、Ｙ’）、第１及び第２共通維持電極ライン（Ｚ、Ｚ’）の表面にはバス電極（ＹＢ、ＹＢ’ＺＢ、ＺＢ’）が形成される。
【００６７】
隔壁（３６）はアドレス電極（Ｘ）と並んだ方向へ形成される。放電セル（３０）内で第１及び第２走査／維持電極ライン（Ｙ、Ｙ’）は放電セル（３０）の中央部に配置されて、第１及び第２共通維持電極ライン（Ｚ、Ｚ’）は第１及び第２走査／維持電極ライン（Ｙ、Ｙ’）を間に置いて放電セル（３０）の周辺部に配置される。
【００６８】
本発明の第１実施形態では放電セル（５０）が中央部に１つの走査／維持電極ライン（Ｙ）が形成されたが、本発明の第３実施形態では放電セル（５０）の中央部に１つの第１及び第２走査／維持電極ライン（Ｙ、Ｙ’）が形成される。
【００６９】
上記のように第１実施形態では放電セル（５０）中央部に１つの走査／維持電極ライン（Ｙ）が形成されるているが、その場合、維持期間に走査／維持電極ライン（Ｙ）と第１及び第２共通維持電極ライン（Ｚ、Ｚ’）の中のいずれか一方と先に放電が発生して、他方との間の放電が不安定になるおそれがある。
【００７０】
しかし、本発明の第３実施形態のように放電セル（５０）の中心部に２つ走査／維持電極ライン（Ｙ、Ｙ’）が形成されると、維持期間に第１共通維持電極ライン（Ｚ）と第１走査／維持電極ライン（Ｙ）の間に放電が発生し、また、第２共通維持電極ライン（Ｚ’）と第２走査／維持電極ライン（Ｙ’）の間にも放電が発生する。従って、本発明の第３実施形態では放電セル（５０）内で安定した放電が生じる。
【００７１】
また、本発明の第３実施形態は、図１３のように第１及び第２共通維持電極ライン（Ｚ、Ｚ’）と並んで形成される第２隔壁（５８）を追加で具備することができる。その以外に本発明の第３実施形態での駆動波形及び動作過程は本発明の第１実施形態と同一である。
【００７２】
図１４は図１２に図示されたＰＤＰの駆動装置を表す図面である。
図１４を参照すると、本発明の第３実施形態によるＰＤＰの駆動装置は、第１及び第２走査／維持電極ライン（Ｙ、Ｙ’）を駆動する走査／維持駆動部（６０）と、第１及び第２共通維持電極ライン（Ｚ、Ｚ’）を駆動する共通維持駆動部（６２）とで構成される。
【００７３】
走査／維持駆動部（６０）は第１及び第２走査／維持電極ライン（Ｙ、Ｙ’）にスキャンパルスと維持パルスを順に供給する。この時、第１及び第２走査／維持電極ライン（Ｙ、Ｙ’）は走査／維持駆動部（６０）から同一の駆動波形の供給受ける。
【００７４】
共通維持駆動部（６２）は第１及び第２共通維持電極ライン（Ｚ、Ｚ’）に維持パルスを供給する。アドレス電極ライン（Ｘ）はアドレス駆動部（図示されていない）からスキャンパルスに同期した映像データの供給を受ける。
【００７５】
維持期間に第１及び第２走査／維持電極ライン（Ｙ、Ｙ’）と第１及び第２共通維持電極ライン（Ｚ、Ｚ’）には同一のパルス幅と電圧を有する維持パルス（Ｖｓｕｓ  ）が交互に印加される。このように維持パルスが交互に印加されると図１５のように第１共通維持電極ライン（Ｚ）と第１走査／維持電極ライン（Ｙ）の間に維持放電が生じるとともに、第２共通維持電極ライン（Ｚ’）と第２走査／維持電極ライン（Ｙ’）の間にも維持放電が起こる。
【００７６】
即ち、放電セル（５０）の中心部に形成されている第１及び第２走査／維持電極ライン（Ｙ、Ｙ’）と放電セル（３０）の周辺部に形成されている第１及び第２共通維持電極ライン（Ｚ、Ｚ’）の間に維持放電が生じるために放電空間を効率的に活用することができる。
【００７７】
また、１つの放電セル（５０）それぞれに４本の維持電極ライン（Ｙ、Ｙ’、Ｚ、Ｚ’）が形成されているために維持放電を安定的に生じさせることができる。その以外の本発明の第３実施形態での駆動波形及び動作過程を本発明の第１実施形態と同一であるから省略する。
【００７８】
本発明の第１〜第３実施形態では放電セル（５０）の中心部に形成されている電極を走査／維持電極（Ｙ）として利用して、放電セル（５０）の周辺部に形成されている電極を共通維持電極（Ｚ）として利用した。これに対して、第４実施形態では、図１６のように、放電セル（５０）の中心部に形成されている電極を共通維持電極（Ｚ）として利用して、放電セルの周辺部に形成されている電極を走査／維持電極（Ｙ）として利用している。駆動方法は特に先の実施形態と変わるところはない。
【００７９】
図１７は本発明の第５実施形態によるＰＤＰの放電セルを表した１セルの箇所の断面図である。本第５実施形態は図５に示された５電極の交流面放電ＰＤＰにフローティング電極（６８、６９）が追加された構造である。図１７は１つの放電セル内ですべての電極構造が見えるようにするために下部パネルを上部パネルに対して９０°回転させて図示している。
【００８０】
図１７を参照すると、本発明の第５実施形態によるＰＤＰは、放電セルの中央部に第１及び第２トリガ電極（６４Ｙ、６４Ｚ）を配置するとともに放電セルの縁側に第１維持電極（６６Ｙ）及び第２維持電極（６６Ｚ）を配置してある。それらの電極を覆うように上部誘電体層（７２）が形成され、上部誘電体層（７２）の表面に第１及び第２フローティング電極（６８、６９）が放電セルの両側に維持電極（６６Ｙ、６６Ｚ）と並ぶように形成させてある。下部パネルにはこれらの上部パネルの電極と直交する方向にアドレス電極（７６Ｘ）が設けられている。
【００８１】
上部誘電体層（７２）と下部誘電体層（７８）の間には隔壁（７４）が形成されて、下部誘電体層（７８）と隔壁（７４）の表面には蛍光体層（７０）が塗布される。
【００８２】
放電セルの中央部に狭い間隔で形成された第１及び第２トリガ電極（６４Ｙ、６４Ｚ）は維持期間に交流パルスの供給を受けて維持放電を開示する。放電セルの縁側に広い間隔で形成された第１維持電極（６６Ｙ）と第２維持電極（６６Ｚ）は、トリガ電極（６４Ｙ、６４Ｚ）によって放電が開示された後プラズマ放電を維持させるために使用される。アドレス電極（７６Ｘ）はアドレス期間の中にデータパルスの供給を受けて走査パルスを受ける第１トリガ電極（６４Ｙ）との間でアドレス放電を起こす。
【００８３】
フローティング電極（６８、６９）の幅は第１維持電極（６６Ｙ）及び第１維持電極（６６Ｚ）の幅よりそれぞれ狭い。このフローティング電極（６８、６９）は隣接する放電セルの間のクロストークを防止するためのものである。
【００８４】
これを図１８を参照して詳細に説明する。維持期間に第１維持電極（６６Ｙ）及び第１維持電極（６６Ｚ）に交互に交流パルスが供給される。第１維持電極（６６Ｙ）に所定電圧レベルを有する交流パルスが印加されると、第１維持電極（６６Ｙ）の下側に形成されているフローティング電極（６８）には第１維持電極（６６Ｙ）に印加される交流パルスの半分程度の電圧が誘導される。
【００８５】
従って、隔壁（７４）を間において隣接して形成されている第２維持電極（６７Ｚ）との誤放電を防止することができる。すなわち、隔壁（７４）を間において隣接して形成されているフローティング電極（６８、８０）の間には低い電圧の差が発生するためにフローティング電極（６８、８０）間の誤放電を防止することができる。
【００８６】
また、第２維持電極（６６Ｚ）に所定電圧のレベルを有する交流パルスが印加されるとき、第２維持電極（６６Ｚ）の下側に形成されているフローティング電極（６９）には第２維持電極（６６Ｚ）に印加される交流パルスの半分程度の電圧が誘導される。従って、隔壁（７４）を間に置いて隣接して形成されているフローティング電極（６９、８２）の間の誤放電を防止することができる。このようなフローティング電極を配置する本発明の第５実施形態は本発明の第１〜第４実施形態などにも適用することができる。
【００８７】
【発明の効果】
上述したように、本発明によるプラズマディスプレーパネル及びその駆動方法によると、放電セルの中央部に形成されている少なくとも１つまたはそれ以上の第１電極と、放電セルの周辺部に形成されている第２電極との間に維持放電が起きるために放電空間を効率的に活用することができる。
【００８８】
更に、第１電極を間に置いて放電セルの両周辺部にそれぞれ１つの第２電極が形成されているために放電セル間のクローストークを防止することができる。また、第１及び第２電極と並ぶ方向にも隔壁を設置することでそれらの電極方向に並んで隣接している放電セル間のクローストークを防止することができる。
【００８９】
さらに、放電セルの周辺部に形成されている第２電極の下側にフローティング電極を形成することで隣接してい放電セル間のクローストークを防止することができる。
【００９０】
以上説明した内容を通して当業者であれば本発明の技術思想を逸脱しない範囲で多様な変更及び修正が可能であることが分かるであろう。従って、本発明の技術的な範囲は明細書の詳細な説明に記載された内容に限らず特許請求の範囲によって定めなければならない。
【図面の簡単な説明】
【図１】従来の３電極の交流面放電のプラズマディスプレーパネルの放電セル構造を表す写視図である。
【図２】図１に図示されたプラズマディスプレーパネルの電極構造を表す平面図である。
【図３】図１に図示されたプラズマディスプレーパネルに供給される駆動波形を表す波形図である。
【図４】図４は従来の５電極の交流面放電のプラズマディスプレーパネルの放電セル構造を表す写視図である。
【図５】図４に図示された５電極の交流面放電のプラズマディスプレーパネルの放電セル構造を表す写視図である。
【図６】本発明の第１実施形態によるプラズマディスプレーパネルの電極構造を表す平面図である。
【図７】図６に図示された電極に駆動波形を供給する駆動部を表す図面である。
【図８】図６に図示された電極に供給される駆動波形を表す波形図である。
【図９】図６に図示されたプラズマディスプレーパネルで発生される維持放電を表す断面図である。
【図１０】図６に図示されたプラズマディスプレーパネルで追加で形成される隔壁を表す平面図である。
【図１１】本発明の第２実施形態によるプラズマディスプレーパネルの電極構造を表す平面図である。
【図１２】本発明の第３実施形態によるプラズマディスプレーパネルの電極構造を表す平面図である。
【図１３】図１２に図示されたプラズマディスプレーパネルで追加で形成される隔壁を表す平面図である。
【図１４】図１２に図示されたプラズマディスプレーパネルの駆動装置を表す平面図である。
【図１５】図１２に図示されたプラズマディスプレーパネルで発生される維持放電を表す断面図である。
【図１６】本発明の第４実施形態によるプラズマディスプレーパネルの電極構造を表す平面図である。
【図１７】本発明の第５実施形態によるプラズマディスプレーパネルの電極構造を表す平面図である。
【図１８】図１７に図示された本発明の実施形態による交流面放電のプラズマディスプレーパネルが隣接された構造を表す断面図である。
【符号の説明】
１０、３０：上部パネル
１２Ｙ、３２Ｙ、６６Ｙ：第１走査／維持電極
１２Ｚ、３２Ｚ、６６Ｚ：第２走査／維持電極
１２Ｚ：共通維持電極
１３ＹＢ、１３ＹＺ：バス電極
１４、２２：誘電体層
１６：保護膜
１８、４０：下部パネル
２０Ｘ、４２Ｘ：アドレス電極
２４、３６、３８、７４：隔壁
２６：蛍光体
２８、３０、５０：放電セル
３２、４０、５４、６０：走査／維持駆動部
３４、４２、５６、６２：共通維持駆動部
３４Ｙ、３４Ｚ、６４Ｙ、６４Ｚ：トリガ電極
５８：第２隔壁
６８、６９、８０、８２：フローティング電極
【図１】
0003604357.tif 000002
【図２】
0003604357.tif 000003
【図３】
0003604357.tif 000004
【図４】
0003604357.tif 000005
【図５】
0003604357.tif 000006
【図６】
0003604357.tif 000007
【図７】
0003604357.tif 000008
【図８】
0003604357.tif 000009
【図９】
0003604357.tif 000010
【図１０】
0003604357.tif 000011
【図１１】
0003604357.tif 000012
【図１２】
0003604357.tif 000013
【図１３】
0003604357.tif 000014
【図１４】
0003604357.tif 000015
【図１５】
0003604357.tif 000016
【図１６】
0003604357.tif 000017
【図１７】
0003604357.tif 000018
【図１８】
0003604357.tif 000019